(57)【要約】【課題】端子近傍の電線に常に正確な位置に外装できるようにする。【解決手段】作業台１０より立設する軸部１２の先端側は穴付き端子５の穴６の径と対応させて端子穴挿入部１３とすると共に、該端子穴挿入部１３の下部に端子載置板１４を設け、かつ、端子載置板１４の下方の軸部１２よりＬ形状のアーム１５を突出させ、その先端に規制板１６を設けた電線用治具１１であって、端子５の穴６を端子穴挿入部１３に挿入して端子載置板１４に端子５を載置し、電線ｗを規制板１６の上端に形成した電線挿通溝１７に挿通し、この状態で電線ｗに外装する外装材９の先端を規制板１６に突き当てることにより、外装材９の先端を取付先端位置Ｂに規制する。【選択図】  図１
2004179004.tif 000002
【特許請求の範囲】
【請求項１】
穴付き端子を端末に接続している電線の外周に、該端子近傍位置までテープあるいはチューブからなる外装材を取り付けるときに使用する電線用治具であって、
作業台より立設する軸部の先端側は上記端子の穴径と対応させて端子穴挿入部とすると共に、該端子穴挿入部の下部に軸部外周より端子載置板を突設し、かつ、該端子載置板の下方の軸部よりＬ形状のアームを突出させ、該アームの先端に電線挿通溝を上方より切り欠いた規制板を設け、
上記端子の穴を上記端子穴挿入部に挿入して上記端子載置板に端子を載置し、該端子に接続した電線を上記規制板の電線挿通溝に挿通し、該状態で電線に外装する外装材の先端を上記規制板に突き当てることにより、電線に外装する外装材の先端を設定位置に規制している電線用治具。
【請求項２】
穴付き端子を端末に接続している電線の外周に、該端子近傍位置までテープあるいはチューブからなる外装材を取り付けるときに使用する電線用治具であって、
作業台より立設する軸部の先端側は上記端子の穴径と対応させて端子穴挿入部とすると共に、該端子穴挿入部の下部に軸部外周より端子載置板兼規制板を突設し、該端子載置板兼規制板の電線側を規制部として延在させ、該規制部の先端を外装材先端位置に設定し、
上記端子に接続した電線を上記規制板の電線挿通溝に挿通して、該端子の穴を上記端子穴挿入部に挿入して上記端子載置板に端子を載置し、該状態で電線に外装する外装材の先端が上記規制板に突き当てるようにして、電線に外装する外装材の先端位置を設定位置に規制している電線用治具。
【請求項３】
上記端子載置板兼規制板の規制部先端に下方への屈折部を設け、あるいは規制部先端の両側より上向き屈折部を設けると共にこれら両側の上向き屈折部の間より下向き屈折部を設けている請求項２に記載の電線用治具。
【請求項４】
穴付き端子を端末に接続している電線の外周に、該端子近傍位置までテープあるいはチューブからなる外装材を取り付けるときに使用する電線用治具であって、
作業台より立設する軸部の先端側は上記端子の穴径と対応させて端子穴挿入部とすると共に、該端子穴挿入部の下部に軸部外周より端子載置板を突設し、該端子載置板の反電線側を突出させると共に先端側に規制板支持部を立設し、該規制板支持部にＬ形状の規制板を回転自在に軸支し、該Ｌ形状の規制板の垂直板部に軸部挿入穴を設けると共に水平板部を上記軸部の端子穴挿入部側に突出させ、
上記端子の穴を上記端子穴挿入部に挿入して上記端子載置板に端子を載置すると、上記規制板の水平板部が押し下げられて垂直板部が軸部側に倒れ、該垂直板部の穴に軸部が挿入すると共に該垂直板部の先端が電線の上面側で外装材先端位置に位置し、該状態で電線に外装する外装材の先端を上記規制板に突き当てることにより、電線に外装する外装材の先端位置を設定位置に規制している電線用治具。
【発明の詳細な説明】
【０００１】
【発明が属する技術分野】
本発明は、端末に穴付き端子を接続した電線に外装材を外装するときに用いる電線用治具に関する。
【０００２】
【従来の技術】
従来、穴付き端子を接続した電線に外装材を取り付ける時、図１３（Ａ）（Ｂ）に示す治具１が用いられている。この治具１は作業台１０に立設し、先端を端子穴挿入部３とする軸部２に、端子穴挿入部３より下部の外周より円盤状に端子載置部４と突設している。
また、この主のアース端子受け治具として、本出願人は先に、図１４に示すアース受け治具を特開平９−１６７６４６号で提案している。この治具も軸部２より端子載置分４を突設した構成とし、軸部２の先端に球体部２ａを設け、端子を不用意に抜けないようにしている。
【０００３】
【特許文献１】
特開平９−１６７６４６号公報
【０００４】
【発明が解決しようとする課題】
しかしながら、図１３および図１４のいずれの治具１も、端子載置部４は穴付き端子５を係止し載置できる大きさに過ぎないため、穴付き端子５に接続した電線ｗの外周にテープを巻き付けたり、チューブを被せたして外装材をとりつける際に、外装材の取付先端位置が明確でなく、ネジ締め部分近傍まで外装材を取り付けてしまう誤作業が生じやすい問題がある。
【０００５】
本発明は上記問題に鑑みてなされたもので、穴付き端子を端末に接続した電線に、外装材を常に正確な位置に取り付けることができる電線用治具の提供を課題としている。
【０００６】
【課題を解決するための手段】
上記課題を解決するために、本発明は、第１に、穴付き端子を端末に接続している電線の外周に、該端子近傍位置までテープあるいはチューブからなる外装材を取り付けるときに使用する電線用治具であって、
作業台より立設する軸部の先端側は上記端子の穴径と対応させて端子穴挿入部とすると共に、該端子穴挿入部の下部に軸部外周より端子載置板を突設し、かつ、該端子載置板の下方の軸部よりＬ形状のアームを突出させ、該アームの先端に電線挿通溝を上方より切り欠いた規制板を設け、
上記端子の穴を上記端子穴挿入部に挿入して上記端子載置板に端子を載置し、該端子に接続した電線を上記規制板の電線挿通溝に挿通し、該状態で電線に外装する外装材の先端を上記規制板に突き当てることにより、電線に外装する外装材の先端を設定位置に規制している電線用治具を提供している。
【０００７】
上記構成の電線用治具においては、電線に取り付ける外装材は、上記規制板およびアームに阻まれて、該規制板の先端側に位置する電線および端子を外装することができないため、該規制板と上記軸部との距離を締付部分を含む非外装部分の寸法に設定しておくことにより、非外装部分にまで外装材を取り付けてしまう誤作業を確実に阻止し、接続部分での端子の片当たりや接続不良を防止することができる。また、外装材の先端を該規制板に突き当てることにより、常に正確に設定位置まで電線を外装することができ、品質向上を図ることができる。
【０００８】
上記アームは上記軸部と別体に設けると共に、該軸部に貫通穴を穿設し、この軸部の貫通穴と連通するナットを軸部に固着し、該ナットにアームをねじ込み固着する構成としてもよい。この構成によれば、ねじ込み量を調節することによって上記規制板と軸部との距離が変更可能となるため、多様な外装材の取付設定位置に対応できると共に、設計変更等にも柔軟に対応することができる。
【０００９】
本発明は、第２に、穴付き端子を端末に接続している電線の外周に、該端子近傍位置までテープあるいはチューブからなる外装材を取り付けるときに使用する電線用治具であって、
作業台より立設する軸部の先端側は上記端子の穴径と対応させて端子穴挿入部とすると共に、該端子穴挿入部の下部に軸部外周より端子載置板兼規制板を突設し、該端子載置板兼規制板の電線側を規制部として延在させ、該規制部の先端を外装材先端位置に設定し、
上記端子に接続した電線を上記規制板の電線挿通溝に挿通して、該端子の穴を上記端子穴挿入部に挿入して上記端子載置板に端子を載置し、該状態で電線に外装する外装材の先端が上記規制板に突き当てるようにして、電線に外装する外装材の先端位置を設定位置に規制している電線用治具を提供している。
【００１０】
上記構成においても、端子載置板兼規制板の規制部を、非外装部分の寸法分だけ電線側へ延在させることにより、該規制部より先端側の非外装部分に誤って外装材がとりつけられることを阻み、片当たりによる接続不良などの電気的不具合を確実に防止することができる。また、先に取り付けられていた外装材が規制部に被っている場合は、治具に端子をセットした状態で外装不良を発見することができる。
【００１１】
上記端子載置板兼規制板の規制部先端に下方への屈折部を設け、あるいは規制部先端の両側より上向き屈折部を設けると共にこれら両側の上向き屈折部の間より下向き屈折部を設けることが好ましい。上向きまたは下向きの屈折部を設けることにより、誤って外装材を規制部の上から被せて取り付けてしまうことを防止し、作業性を向上させることができる。また、規制部先端の両側より上向き屈折部を設けると共にこれら両側の上向き屈折部の間より下向き屈折部を設けると、両側の上向き屈折部の間が電線挿通溝となり、そこへ電線を挿通することにより、端子載置板兼規制板の上で端子および電線が横滑りせず安定するため、外装材取付作業の効率および正確性が向上する。
【００１２】
本発明は、第３に、穴付き端子を端末に接続している電線の外周に、該端子近傍位置までテープあるいはチューブからなる外装材を取り付けるときに使用する電線用治具であって、
作業台より立設する軸部の先端側は上記端子の穴径と対応させて端子穴挿入部とすると共に、該端子穴挿入部の下部に軸部外周より端子載置板を突設し、該端子載置板の反電線側を突出させると共に先端側に規制板支持部を立設し、該規制板支持部にＬ形状の規制板を回転自在に軸支し、該Ｌ形状の規制板の垂直板部に軸部挿入穴を設けると共に水平板部を上記軸部の端子穴挿入部側に突出させ、
上記端子の穴を上記端子穴挿入部に挿入して上記端子載置板に端子を載置すると、上記規制板の水平板部が押し下げられて垂直板部が軸部側に倒れ、該垂直板部の穴に軸部が挿入すると共に該垂直板部の先端が電線の上面側で外装材先端位置に位置し、該状態で電線に外装する外装材の先端を上記規制板に突き当てることにより、電線に外装する外装材の先端位置を設定位置に規制している電線用治具を提供している。
【００１３】
上記構成では、電線および端子の上面側に被さる上記規制板によって、端子の締結部分を含む非外装部分に外装材を誤って取り付けてしまうことを規制し、端子の片当たりによる接続不良を防止できる。
また、水平板部と垂直板部からなる上記Ｌ形状の規制板は、端子載置板に連続した規制板支持部によって回転自在に軸支されており、穴付き端子の端子穴挿入部への挿入前は、垂直に起き上がって端子穴挿入部を開放し、穴付き端子の挿入と同時に電線側に倒れ、該端子が端子載置板上に載置されている間は倒れた状態で外装材先端位置を規制する。外装材取付後に端子を治具から取り外そうとすると同時に起き上がって端子穴挿入部の上方を開放する構成となっている。
即ち、規制板は、穴付き端子の端子穴挿入部への挿入および取り外し作業に連動して自動的に起き倒れするため、作業者はこのＬ形状の規制板を別途操作する必要がなく、効率よく作業できる。
【００１４】
【発明の実施の形態】
以下、本発明の実施形態を図面を参照して説明する。
なお、以下に説明する実施形態はいずれも、従来例と同様、穴付き端子５を端末に接続している電線ｗの外周に、該端子５の近傍位置までテープからなる外装材９を取り付けるときに使用する電線用治具に適用している。
【００１５】
図１および図２（Ａ）（Ｂ）（Ｃ）は本発明の第１実施形態に係る電線用治具１１を示し、該治具１１は、作業台１０に立設した軸部１２と、該軸部１２の先端側に形成した端子穴挿入部１３と、該端子穴挿入部１３の下部の軸部１２の外周より突設した端子載置板１４と、該端子載置板１４の下方の軸部１２より突設したＬ形状のアーム１５と、該アーム１５の上方先端に設けた規制板１６より構成される。
【００１６】
上記アーム１５は、軸部１２から突設した水平部１５ａと上方へ屈曲した垂直部１５ｂからなるＬ形状であり、水平部１５ａの長さＬ２は、図２（Ｂ）に示すように、穴付き端子５を端末に接続した電線ｗの締結部分を含む非外装部分Ｘの寸法に対応する。即ち、軸部１２の電線側外周面Ａから外装材９の取付先端位置Ｂまでの長さＬ１と略同寸に設定している。
なお、軸部１２の端子穴挿入部１３の径は、穴付き端子５の穴６の径に対応させており、詳細には、穴付き端子５の穴６の径よりも若干小径に設定している。
【００１７】
また、上記規制板１６は、その上端の一部を切り欠いて電線挿通溝１７を設けており、Ｌ形状のアーム１５の垂直部１５ｂの先端に電線挿通方向に対して垂直に取り付けている。これにより、規制板１６の電線側面１６ａから軸部１２までの距離Ｌ３は、アーム１５の水平部１５ａの長さＬ２と同寸となり、該規制板１６は外装材９の取付先端位置Ｂに位置することになる。
【００１８】
上記構成の電線用治具１１を用いて電線ｗに外装材９を取り付ける時、まず、端子５の穴６を上記端子穴挿入部１３に挿入し、図２（Ａ）に示すように上記端子載置板１４に端子５を載置し、該端子５に接続した電線ｗを上記規制板１６の電線挿通溝１７に挿通する。この状態で図２（Ｂ）に示すように電線ｗに外装材９を規制板１６に突き当たるまで外装し、外装後に図２（Ｃ）に示すように治具１１から端子５および電線ｗを取り外す。
このように外装することにより、外装材９は規制板１６によって常に先端位置を設定位置に規制されるため、電線ｗを取付先端位置Ｂまで正確に外装できるとともに、外装材９を取り付けてはいけない非外装部分Ｘを誤って外装してしまうことを阻止しできる。
【００１９】
図３は上記第１実施形態の変形例を示し、軸部１２とアーム１５とを別体としている。詳しくは、アーム１５の水平部１５ａにネジ溝１９を形成し、軸部１２のアーム１５取付位置に貫通穴１２ａを穿設し、該貫通穴１２ａと連通するナット１８を軸部１２の電線側外周面に固着し、上記アーム１５の水平部１５ａをナット１８にねじ込み固着する構成としている。
この構成によれば、アーム１５のねじ込み量を調節することにより、水平部１５ａの長さＬ２、すなわち、規制板１６から軸部１２までの距離Ｌ３の調節が可能となり、非外装部分Ｘの多様な寸法に対応した設定が可能となる。
【００２０】
図４および図５（Ａ）（Ｂ）は、本発明の第２実施形態にかかる電線用治具２１を示す。
治具２１は、作業台１０に立設した軸部２２と、該軸部２２の先端側に形成した端子穴挿入部２３と、該端子穴挿入部２３の下部の軸部２２の外周より突設した端子載置板兼規制板２４より構成される。
【００２１】
上記端子載置板兼規制板２４は、その電線側を外装材取付先端位置Ｂまで延在して規制部２５を形成し、該規制部２５の電線側端縁２５ａを外装材取付先端位置Ｂと一致させている。
なお、軸部２２の端子穴挿入部２３の径は、穴付き端子５の穴６の径に対応させており、詳しくは、穴付き端子５の穴６の径よりも若干小径に設定している。
【００２２】
上記構成の電線用治具２１を用いて電線ｗに外装材９を取り付ける時、まず、端子５の穴６を上記端子穴挿入部２３に挿入し、図５（Ａ）に示すように、端子載置板兼規制板２４に端子５を載置し、この状態で図５（Ｂ）に示すように、電線ｗに外装材９を上記規制部２５の電線側端縁２５ａに突き当たるまで外装し、外装後に治具２１から端子５および電線ｗを取り外す。このように外装することにより、外装材９は上記規制部２５によって常に先端位置を設定位置に規制されるため、電線ｗを取付先端位置Ｂまで正確に外装できる。
【００２３】
図６乃至図９は上記第２実施形態の第１変形例乃至第４変形例を示す。
まず、図６（Ａ）（Ｂ）に示す第１変形例では、上記端子載置板兼規制板２４の規制部２５の電線側端縁２５ａを、軸部２２を中心とする半径Ｌ２の円弧状に湾曲させている。これにより、規制部２５の電線側端縁２５ａのどの部分に突き当てても外装材９の正確な取付先端位置Ｂを規制できるようになるため、端子載置板兼規制板２４上での電線ｗの横ズレにも対応することができる。
【００２４】
図７に示す第２変形例は、上記規制部２５の両側縁の先端側に左右一対の側壁２６を形成し、電線ｗが端子載置板兼規制板２４からズレ落ちない構成としている。
【００２５】
図８に示す第３変形例は、上記端子載置板兼規制板２４の上記規制部２５の電線側先端に下方への屈折部２７を設けている。該屈折部２７により、外装材９の先端を規制部２５に突き当てやすくなるため、誤って該規制部２５に被って外
装材９を取り付けてしまうことを防止し、作業性を上げることができる。
【００２６】
図９に示す第４変形例は、上記端子載置板兼規制板２４の上記規制部２５の電線側先端の両側に上方への屈折部２８ａ、２８ｂを形成し、この両側の上向き屈折部２８ａ、２８ｂの間の下向き屈折部２８ｃを設けている。これにより、上向き屈折部２８ａ、２８ｂに挟まれた凹み２９が電線挿通溝となり、該凹み２９に電線を挿通することにより、電線ｗおよび該電線ｗの端末に接続された穴付き端子５が端子載置板兼規制板２４上で横滑りしたり位置ずれすることを防ぎ、安定した正確な作業を行うことができる。また、上向き屈折部２８ａ、２８ｂと下向き屈折部２８ｃにより、上記第１変形例同様、外装材９の先端を規制部２５に突き当てやすくなるため、誤って該規制部２５に被って外装材９を取り付けてしまうことを防止できる。
【００２７】
図１０乃至および図１２（Ａ）（Ｂ）は本発明の第３実施形態に係る電線用治具３１を示す。
該治具３１は、作業台１０に立設した軸部３２と、該軸部３２の先端側に形成した端子穴挿入部３３と端子穴挿入部３３の下部の軸部３２の外周より突設した端子載置板３４と、該端子載置板３４を延在し突設した規制板支持部３５と、該規制板支持部３５に回転自在に軸支されたＬ形状の規制板３８より構成される。
【００２８】
詳しくは、端子載置板３４は、反電線側を突出させると共に、その先端側に一対の側壁を上向きに立設して規制板支持部３５を形成している。この一対の規制板支持部３５に架設した回転軸３６によって上記規制板３８は回転自在に軸支されている。
【００２９】
上記規制板３８は、垂直板部３９と、該垂直板部３９の下部から端子穴挿入部３３側に突出させた水平板部４０とからなり、垂直板部３９と水平板部４０との連結部に上記回転軸３６を通している。また、該垂直板部３９には軸部挿入部３３の径よりも大径の軸部挿入穴３９ａを穿設している。さらに、起き上がった垂直板部３９がそのまま静止するように、上記規制板支持部３５に倒れこみ規制バー３７を架設して、垂直板部３９をやや後傾した状態で外側から支える構成としている。
なお、軸部３２の端子穴挿入部３３の径は、穴付き端子５の穴６の径に対応させ、穴付き端子５の穴６の径よりも若干小径に設定している。
【００３０】
上記構成の電線用治具３１を用いて電線ｗに外装材９を取り付ける時、まず、穴付き端子５の穴６を上記端子穴挿入部３３に挿入して上記端子載置板３４に載置すると、図１２（Ａ）（Ｂ）に示すように、規制板３８の水平板部４０が端子５によって押し下げられると同時に垂直板部３９が軸部３２側に倒れ、垂直板部３９の軸部挿入穴３９ａに軸部挿入部３３が挿入する。このとき、垂直板部３９が電線ｗおよび端子５の非外装部分Ｘの上面側に被さり、該垂直板部３９の先端位置が外装材９の取付先端位置Ｂに位置する。この状態で、電線ｗに外装材９を上記規制板３８に突き当たるまで外装することにより、電線ｗを取付先端位置Ｂまで正確に外装できる。
また、倒れ込み防止バー３７により、垂直板部３９が起き上がった状態で静止するとともに水平板部４０は端子穴挿入部３３側に突出した状態で静止するため、端子５の挿入時に該端子５が水平板部４０に当たり押し下げることができ、該規制板３８を常に有効に機能させることができる。
なお、規制板３８の回転軸にコイルスプリングを取り付けて起立位置に付勢してもよい。
【００３１】
なお、本発明は上記実施形態に限定するものではなく、外装材９としてテープのほかにチューブを取り付ける場合にも好適に用いられる。
【００３２】
【発明の効果】
以上の説明より明らかなように、本発明によれば、電線用治具に規制板を設け、該規制板の電線側先端が外装材の取付先端位置を規制することになるため、常に正確な位置まで電線に外装材をとりつけることができる。よって、外装してはいけない締結部分などの非外装部分まで外装材をとりつけてしまう誤作業を回避することができ、端子の片当たりによる接続不良などの発生を防止することができる。
【図面の簡単な説明】
【図１】本発明の第１実施形態に係る電線用治具を示す斜視図である。
【図２】（Ａ）（Ｂ）（Ｃ）は、図１に示す電線用治具を用いて電線を外装する作業手順を示す図であり、（Ａ）は斜視図であり、（Ｂ）（Ｃ）は正面図である。
【図３】第１実施形態の変形例を示す斜視図である。
【図４】本発明の第２実施形態に係る電線用治具を示す斜視図である。
【図５】（Ａ）（Ｂ）は、図４に示す電線用治具を用いて電線を外装する手順を示す図であり、（Ａ）が斜視図であり、（Ｂ）が正面図である。
【図６】（Ａ）、（Ｂ）は第２実施形態の第１変形例を示す図面である。
【図７】第２実施形態の第２変形例を示す斜視図である。
【図８】第２実施形態の第３形例を示す斜視図である。
【図９】第２実施形態の第４形例を示す斜視図である。
【図１０】本発明の第３実施形態に係る電線用治具を示す斜視図である。
【図１１】図１０に示す電線用治具の、（Ａ）は正面図であり、（Ｂ）は平面図である。
【図１２】（Ａ）（Ｂ）は、図１０に示す電線用治具に端子を挿入するときの状態を示す正面図である。
【図１３】（Ａ）（Ｂ）は従来例の図である。
【図１４】他の従来例の図である。
【符号の説明】
ｗ  電線
５  穴付き端子
９  外装材
１０  作業台
１１、２１、３１  電線用治具
１２、２２、３２  軸部
１４、３４  端子載置板
２４  端子載置板兼規制板
１５  アーム
１６、３８  規制板
２５  規制部
３５  規制板支持部
Ｘ  非外装部分
Ｂ  外装材取付先端位置
【図１】
2004179004.tif 000003
【図２】
2004179004.tif 000004
【図３】
2004179004.tif 000005
【図４】
2004179004.tif 000006
【図５】
2004179004.tif 000007
【図６】
2004179004.tif 000008
【図７】
2004179004.tif 000009
【図８】
2004179004.tif 000010
【図９】
2004179004.tif 000011
【図１０】
2004179004.tif 000012
【図１１】
2004179004.tif 000013
【図１２】
2004179004.tif 000014
【図１３】
2004179004.tif 000015
【図１４】
2004179004.tif 000016